(57)【要約】【課題】  本発明の課題は、既存の光ディスク再生装置で新たに導入されるＬＨ特性を持つ追記型光ディスクに対し既存のハードウェアを用いて、再生互換を確保する記録再生方法を提供することである。【解決手段】  上記課題は、記録領域にアドレスを配し、アドレスを用いて記録領域をリードインエリア、データゾーン、リードアウトエリアに分割して記録される追記型光ディスクの記録方法において、アドレスを用いてデータゾーンを複数の記録ゾーンに分割し、記録ゾーンはゾーンの一端からゾーン内を連続的にユーザデータが記録され、記録ゾーンは記録可能状態と記録不可状態の２つの状態を用いて記録制御され、記録ゾーンの状態を記録可能状態から記録不可状態に切り替える際に、記録ゾーン内のユーザデータ記録済領域の両端に再生互換が確保されているフラグ情報を含むダミーデータを記録する記録方法により解決される。【選択図】図１
2007179601.tif 000002
【特許請求の範囲】
【請求項１】
記録領域にアドレスを配し、該アドレスを用いて記録領域をリードインエリアおよびデータゾーンおよびリードアウトエリアに分割して記録される追記型光ディスクの記録方法において、
該アドレスを用いて該データゾーンを複数の記録ゾーンに分割し、該記録ゾーンはゾーンの一端からゾーン内を連続的にユーザデータが記録され、該記録ゾーンは記録可能状態と記録不可状態の２つの状態を用いて記録制御され、該記録ゾーンの状態を記録可能状態から記録不可状態に切り替える際に、該記録ゾーン内のユーザデータ記録済領域の両端にダミーデータを記録することを特徴とする記録方法。
【請求項２】
記録ゾーン内のユーザデータ記録済領域の両端にダミーデータはディスク管理情報であることを特徴とする請求項１の記録方法。
【請求項３】
記録ゾーン内のユーザデータ記録済領域の両端のダミーデータはリードインエリアおよびデータゾーンおよびリードアウトエリアの各エリアが再生互換を確保するための処理が施されているかを示す情報を含むことを特徴とする請求項１の記録方法。
【請求項４】
記録領域にアドレスを配し、該アドレスを用いて記録領域をリードインエリアおよびデータゾーンおよびリードアウトエリアに分割された追記型光ディスクの再生方法において、
該リードアウトエリアが記録済みか未記録かを判定し、未記録と判定された場合には再生処理を中止することを特徴とする再生方法。
【請求項５】
記録領域にアドレスを配し、該アドレスを用いて記録領域をリードインエリアおよびデータゾーンおよびリードアウトエリアに分割された追記型光ディスクの再生方法において、
該データゾーンの最外周に記録されたデータを再生し、該再生されたデータに含まれる再生互換が確保されているフラグ情報を用いて再生処理を中止することを特徴とする再生方法。
【請求項６】
記録領域にアドレスを配し、該アドレスを用いて記録領域をリードインエリアおよびデータゾーンおよびリードアウトエリアに分割して記録される追記型光ディスクの記録方法において、
該アドレスを用いて該データゾーンを複数の記録ゾーンに分割し、該記録ゾーンはゾーンの一端からゾーン内を連続的にユーザデータが記録され、該記録ゾーンは記録可能状態と記録不可状態の２つの状態を用いて記録制御され、該記録ゾーンの状態を記録可能状態から記録不可状態に切り替える際に、該記録ゾーン内のユーザデータ記録済領域の両端にダミーデータを記録することを特徴とする情報記録方法。
【発明の詳細な説明】
【技術分野】
【０００１】
本発明は記録媒体にデジタルデータを記録するための記録技術に関するものである。
【背景技術】
【０００２】
記録媒体にデジタルデータを記録、再生する装置の一例として、国際標準規格ＥＣＭＡ−２７９、ＥＣＭＡ−２７２に規定されたＤＶＤ−Ｒ、ＤＶＤ−ＲＡＭの記録再生装置が挙げられる。
【０００３】
ＤＶＤ−Ｒ等の追記型光ディスクでは通常ユーザエリアの数箇所を起点に上位装置が管理する論理アドレス空間内をアドレス昇順方向で連続的にデータ記録が行われる。この記録方式に対応するため、ＤＶＤ−ＲではＲゾーンと呼ばれるユーザエリアの論理分割を行い、記録データの始点となるＲゾーンの先頭アドレスと、Ｒゾーン内の先頭アドレスからの連続記録済エリアの最終記録アドレス（ＬＲＡ）の２種類のアドレス情報は、記録領域管理情報エリア（ＲＭＡ）内の記録領域管理データ（ＲＭＤ）に記録される。このＲゾーンを用いてデータエリア内の記録済エリアを管理する方法がＥＣＭＡ−２７９で規格化されている。
【０００４】
ＤＶＤ−ＲＡＭの記録再生装置では、ユーザデータの記録処理の際、記録後に正常に記録できたかどうかを実際に再生して確認し、必要に応じてユーザエリアの替わりにスペアエリアにユーザデータを配置する交替処理を行うことで光ディスクの信頼性を高めている。この交替処理の結果を示すユーザエリアとスペアエリアのアドレスの対応情報は、ＤＭＡに欠陥リスト（ＤＬ）として記録するようにＥＣＭＡ−２７２では規格化されている。
【０００５】
特開２００４−１７１７１４号にＤＶＤ−ＲＡＭの欠陥管理方式同様に追記型記録ディスクで欠陥管理を行い、この仕組みを拡張してデータの上書きを論理的に可能とするための追記型光ディスク構造や装置に関する記載がある。
【０００６】
特開２００５−１７４５２８号に相変化記録方式の光ディスクの分野及び有機色素型の光ディスクの分野ではＨＬディスク及びＬＨディスク両方の検討がなされている記載がある。本記載の中で、本メディアの特徴として（１）ＨＬディスクとＬＨディスクでは未記録状態（相変化の場合には結晶状態）の反射率が異なる。（２）未記録状態の反射率と情報記録後の平均反射率との関係がＨＬディスクとＬＨディスクで異なる。といった点が挙げられており、問題点として光ディスクがＨＬディスクであるかＬＨディスクであるかによって、未記録状態及び記録状態の領域の反射率の値及び大小関係が異なるので、得られる再生信号のレベルも異なるため、同じ記録再生装置でＨＬディスクとＬＨディスクの両方を安定して信頼性高く情報再生することができない、といった点を指摘している。またその解決方法として記録再生装置に装着された光ディスクがＨＬディスク及びＬＨディスクのいずれであるかという情報を光ディスクの物理フォーマット情報を格納するＢＣＡ等のコントロールデータ領域に記録し、その情報に基づいて最適なゲイン調整を行ってからユーザー情報等を再生する方法が考えられる、としている。
【０００７】
【特許文献１】特開２００４−１７１７１４号公報（[００４７]、図１）
【特許文献２】特開２００５−１７４５２８号公報（[００１４]、[００２０]、図１）
【非特許文献１】「Standard ECMA-279: 80 mm (1,23 Gbytes per side) and 120 mm (3,95 Gbytes per side) DVD-Recordable Disk (DVD-R)」ＥＣＭＡ  １９９８年（第６０−６１頁）
【非特許文献２】「Standard ECMA-272: 120mm DVD Rewritable Disc (DVD-RAM)」ＥＣＭＡ  １９９９年（第４３−５５頁）
【発明の開示】
【発明が解決しようとする課題】
【０００８】
近年、欠陥管理方式を導入した追記型光ディスクの記録方式の提案や現在広く普及している光ディスクとは記録後の反射率特性が変わる、つまりＬＨの特性を持つ光ディスクの導入検討が行われている。
【０００９】
特許文献２にはＢＣＡ等のコントロールデータ領域にＨＬディスク及びＬＨディスクのいずれであるかを示す情報を入れておくことにより、再生時、最初にその情報を読み出すことで最適なゲイン調整を行ってから再生するとあるが、既存の光ディスク再生装置ではハードウェアの問題で本ゲイン調整に必ずしも対応できるとは限らない。つまり新規に導入されるＬＨディスクに対応できる可能性は低い。また新規導入される光ディスクを既存光ディスク再生装置でも再生可能とするためには、記録後の各種信号レベルを従来の光ディスクと合わせて再生互換を確保するように設計する必要があるが、そのためには再生互換が可能な状態か否かを判断する仕組みが必要となる。しかし公知例記載の仕組みでは、既存の光ディスク再生装置は光ディスクを傷つけてしまう恐れから、本ＢＣＡに記録される情報がその光ディスクがＬＨ特性を持つことを示す場合には“ユーザエリアへのアクセス不可能”としてその光ディスクを取り扱わざるを得ない状況になることが予想される。
【００１０】
本発明の目的は、ハードウェアの変更無しでＬＨディスクが再生互換の保障をされている状態か否かを既存の光ディスク再生装置に確実に知らせることができ、また既存光ディスク再生装置との再生互換を確保するために従来のファイナライズ処理のように多大な時間をかけない追記型光ディスクの記録方式を提供することにある。
【課題を解決するための手段】
【００１１】
本発明の目的は、次の(１)と(２)により達成される。
(１)記録領域にアドレスを配し、該アドレスを用いて記録領域をリードインエリアおよびデータゾーンおよびリードアウトエリアに分割して記録される追記型光ディスクの記録方法において、該アドレスを用いて該データゾーンを複数の記録ゾーンに分割し、該記録ゾーンはゾーンの一端からゾーン内を連続的にユーザデータが記録され、該記録ゾーンは記録可能状態と記録不可状態の２つの状態を用いて記録制御され、該記録ゾーンの状態を記録可能状態から記録不可状態に切り替える際に、該記録ゾーン内のユーザデータ記録済領域の両端にダミーデータを記録することを特徴とする記録方法。
(２)記録領域にアドレスを配し、アドレスを用いて記録領域をリードインエリアおよびデータゾーンおよびリードアウトエリアに分割された追記型光ディスクの再生方法において、データゾーンのユーザデータエリアの最外周に記録されたデータを再生し、再生されたデータがユーザデータかダミーデータかを判断した後に、ダミーデータに含まれる再生互換が確保されているフラグ情報を用いて再生処理を中止することを特徴とする再生方法。
【発明の効果】
【００１２】
本発明では、使い勝手のよい情報の記録又は再生を実現することができる。
【発明を実施するための最良の形態】
【００１３】
発明を実施するための形態の１つとして追記型光ディスク記録再生装置が挙げられる。
【００１４】
追記型光ディスク記録再生装置の構成は光ディスク、レーザダイオード及び光検出器を搭載する光ヘッド、記録のための符号化処理と再生のための復号化処理を行う記録再生信号処理回路、各ブロックの動作管理を行う制御マイコン、サーボ回路、ＲＡＭを含む上位装置とのインターフェース回路、上位装置と接続される入出力端子から構成される。
【００１５】
以下、本発明の実施の具体的な形態について図を用いて説明する。
【００１６】
先ず始めに本発明の説明で用いるデータのフォーマット及び記録再生装置の基本構造について図２から図４を用いて説明する。
【００１７】
図４に光ディスク記録再生装置の構成を示す。図４中、４０１は光ディスク、４０２はレーザダイオード及び光検出器を搭載する光ヘッド、４０３は記録のための符号化処理と再生のための復号化処理を行う記録再生信号処理回路、４０４は各ブロックの動作管理を行う制御マイコン、４０５はサーボ回路、４０６はＲＡＭを含む上位装置とのインターフェース回路、４０７は入出力端子である。
【００１８】
再生時、光ディスク４０１に記録されているデータは、光ヘッド４０２から読み出され、記録再生信号処理回路４０３内で復号化処理が行われる。この復号化処理には、復調処理、誤り訂正処理、デ・スクランブル処理が含まれる。復号化処理が行われた後に得られたメインデータはインターフェース回路４０６内のＲＡＭに蓄えられた後、入出力端子４０７を介して外部のパソコンやＭＰＥＧボード等の上位装置（図示せず）などへ出力される。制御マイコン４０４は、上位装置などからの指令を受け、サーボ回路４０５を用いて光ディスク４０１の回転制御、光ヘッド４０３のフォーカス、トラッキング制御を行いながら指定された光ディスク４０１のデータの位置へのアクセスを行い、装置全体の再生制御する。
【００１９】
記録時は、入出力端子４０７を介して、外部の上位装置などからメインデータが入力される。入力されたメインデータは、インターフェース回路４０６内のＲＡＭに蓄えられた後、記録再生信号処理回路４０３により、スクランブル処理、誤り訂正符号化処理、変調処理などの符号化処理が行われた後、光ヘッド４０２を介して、光ディスク４０１へ書き込まれる。制御マイコン４０４は、上位装置などからの指令を受け、サーボ回路４０５を用いて指定された光ディスク４０１上の記録位置へのアクセスを行い、装置全体の記録制御を行う。
【００２０】
ここで取り扱われる記録時におけるデータの符号化過処理の詳細を図２及び図３を用いて説明する。
【００２１】
図２にデータフレームの構成方法を示す。入出力端子４０７から入力される２０４８バイトからなる各メインデータには、データ識別のための４バイトのデータ識別コード（ＩＤ）と、ＩＤの誤り検出符号である２バイトのＩＥＤ、予備データエリアである６バイトのＲＳＶが付加される。このデータ列の最後部には、データに含まれる誤りを検出する４バイトの誤り検出符号ＥＤＣが付加され、全部で２０６４バイトのデータフレームを構成する。各データユニットは、１７２バイト１２行の形状で扱う。
【００２２】
図３にＥＣＣブロックの構成方法を示す。
【００２３】
本説明ではこのＥＣＣブロックを記録再生の単位と仮定する。図２で示したように構成された１７２バイト１２行のデータフレームは、スクランブル処理が施された後、１６データフレーム単位でＥＣＣブロックを構成する。縦方向の各列には１６バイトの外符号（ＰＯ）が付けられる。そのためＥＣＣブロックは、１２行１６データフレーム分の１９２行のデータに１６行の外符号が付加され、２０８行となる。各行のデータに対して、１０バイトの内符号（ＰＩ）を付加し、１８２バイトのデータとする。
【００２４】
符号化処理時の記録再生信号処理回路４０３内ではこのように生成した１８２バイト２０８行のデータを生成した後、最後にデータに含まれる周波数成分を制限するための周波数変調が行われる。
【００２５】
本追記型光ディスクに対応する光ディスク記録再生装置では記録時にＤＶＤ−ＲＡＭのような交替処理による欠陥管理が行われる。本光ディスク記録再生装置では、ユーザデータの記録処理の際、データを記録した後、すぐにディスク上のデータを再生し、この再生データとＲＡＭに残るメインデータとを比較、または誤り訂正処理を行いて再生データに含まれるエラー数を検出し、データが正常に記録できたか確認する。結果正常に記録できなかったと判断される場合には、同位置への記録を繰り返し行い、最終的にこの位置では正常に記録できない、つまりこの位置は欠陥であると判定した場合にはスペアエリアにインターフェース回路４０６内のＲＡＭに残るユーザデータを記録する交替処理を行う。
【００２６】
図５は本説明で用いる追記型光ディスクの物理アドレスを用いて論理的に領域分割されたデータ配置を示す。
【００２７】
ディスク最内周には反射率情報等のディスク物理情報を含むＢＣＡ（Ｂｕｒｓｔ  Ｃｕｔｔｉｎｇ  Ａｒｅａ）を配し、その外側にトレッキングサーボ制御可能なリードインエリア、データエリア、リードアウトエリアを配する。データエリアは、必要に応じて欠陥管理の交替処理の交替先として使用されるスペアエリアを内外周に配し、残りの領域を上位装置から転送されるユーザデータを記録するためのユーザエリアとして使用される。交替処理は図３で示したＥＣＣブロック単位で行われ、スペアエリアは内周から外周方向に連続的に使用される。次の交替処理で使用されるスペアエリア内のアドレスはポインタＰに指し示され、アドレス情報であるポインタＰの値はリードインエリアに記録されるディスク管理情報記録エリアの管理情報内に記録される。ただし、以後は説明を容易にするためｎＥＣＣブロック（アドレスＡからアドレスＡ＋１６＊ｎ）のスペアエリアを外周にのみ配したディスク構造を用いて説明する。データエリアの内周にあるリードインエリアにはディスク製造メーカにより本追記型光ディスクの記録用ストラテジパラメータを含むディスク情報が予め記録されるエンボスエリア、記録時にレーザパワー調整を行う試し書きエリア、欠陥管理や記録領域管理に必要なディスク管理情報を記録するディスク管理情報エリア、ユーザエリアに記録したコンテンツを保護するためのコピー管理情報を記録するためのコピー管理情報エリア、そして記録再生ドライブがこの追記型光ディスクの記録再生制御時に使用する各種パタメータを記録しておくためのドライブ情報エリアが含まれる。データエリアの外周にあるリードアウトエリアにはリードインエリアに記録されたコンテンツ保護のためのコピー管理情報を重複記録するためのコピー管理情報エリアが含まる。欠陥管理情報と記録領域管理情報を含むディスク管理情報はスペアエリアのサイズや位置、欠陥管理テーブル及び記録領域管理テーブルに登録されたリスト数や各テーブルの先頭位置を示す管理情報ヘッダ、欠陥管理テーブル及び記録領域管理テーブルで構成され、欠陥管理テーブル及び記録領域管理テーブルに変更があるとディスク管理情報エリアに記録される。またディスク管理情報エリアから最新のディスク管理情報がすぐに検出できるように内周から外周に向かって連続的に使用される。つまり、常にディスク管理情報エリア内の最外周位置に記録されたディスク管理情報が最新のものとなるように使用される。
【００２８】
図６は追記型光ディスクの交替処理による欠陥管理と欠陥管理テーブル、その関係を示す図である。本図のデータエリアにおいて、白抜きのエリアは未記録領域、黒く塗りつぶされたエリアは記録領域とし、横縞のエリアは欠陥領域とする。欠陥管理テーブルは複数の欠陥リストからなる。光ディスク上に上位装置から転送されるユーザデータの記録処理している間に新たな欠陥が検出され、記録が不可能、またはその欠陥領域からのデータ再生が困難と判断された場合にはスペアエリア内のポインタＰが指し示すアドレスに同データを交替記録する。本図では新たに検出された欠陥アドレス、次の交替先としてポインタＰが指し示すアドレスを、アドレスＤ、アドレスＡ＋１６＊ｄとしている。本交替処理を記録するために、欠陥アドレス、交替アドレス、そしてその関係を示すステータスからなる欠陥リストを新規に構成し、欠陥管理テーブルに追加する。データ再生時、欠陥管理リストの欠陥アドレスに再生処理対象となるアドレスが含まれていた場合には、そのアドレスの代わりに同欠陥管理リストの交替アドレスに記録されたデータの再生処理が行われる。
【００２９】
図１３は目的に応じて各エリアに論理分割された光ディスクの物理アドレスと上位装置の各種命令に含まれる論理アドレスの関係を示す図である。
【００３０】
光ディスクはリードインエリア、データエリア、リードアウトエリアに論理分割されているものとし、更にデータエリアは目的に応じてユーザエリアとスペアエリアに論理分割される。またリードインエリア、データエリアの開始物理アドレスはそれぞれＡ及びＢであり、リードアウトエリアの終了物理アドレスはＣである。光ディスク上のユーザエリアにのみ論理アドレスは割り当てられ、ＤＬに登録が無い場合には論理アドレスｎに対し、物理アドレスＢ＋ｎが対応付けられる。ただし、ＤＬの欠陥アドレスとしてＢ＋ｎが登録されていた場合には論理アドレスｎには、そのＤＬに登録されたスペアエリア内の物理アドレスである交替アドレスが対応する。従ってユーザエリアの最終アドレスがＢ＋ａである場合には、論理アドレス空間として０からａが使用可能となる。
【００３１】
図７は追記型光ディスクの記録領域管理方法、記録領域情報を管理する記録領域管理テーブルを示す図である。本図のデータエリアにおいて、白抜きのエリアは未記録領域、黒く塗りつぶされたエリアは記録領域とし、縦縞のエリアはパディング記録された領域とする。記録領域管理テーブルは複数の記録領域管理リストからなる。ユーザエリア上へのユーザデータ記録は論理アドレス０に対応するアドレス及び、上位装置から指定されるいくつかの開始アドレスを起点として行われる。本図における開始アドレスはアドレスＳ１，Ｓ２、Ｓ３の３点である。ユーザエリアをこれらの開始アドレスを用いて分割した時にできるそれぞれの連続アドレス領域、つまりアドレスＳ１からアドレスＳ２−１（＝アドレスＬ１）、アドレスＳ２からアドレスＳ３−１、アドレスＳ３からユーザエリアの最終アドレスをそれぞれＲゾーンと呼ぶ。セッションは単数又は複数のＲゾーンからなる。セッションが追記を禁止するクローズ状態になるとセッションを構成する全てのＲゾーンはクローズ状態になる。また最外周に位置するセッションＮがクローズされるとそのセッション内の最外周記録済みアドレスの次に位置する未記録アドレスからユーザエリアの最終アドレスを新たにセッションＮ＋１、Ｒゾーンと定義し、追記可能なオープン状態にあるセッションは最外周に位置するセッションのみとする。各Ｒゾーン内でユーザデータが記録された最外周アドレスをＬＲＡ（Ｌａｓｔ  Ｒｅｃｏｒｄｅｄ  Ａｄｄｒｅｓｓ）という。また上位装置から転送されるユーザデータは２Ｋバイト単位であるにも関わらず、先に述べたように本例における光ディスクの最小記録単位は図６で示した３２ＫバイトのＥＣＣブロックである。このため、必要にＥＣＣブロックを構成するためにダミーデータをＥＣＣブロックの後半に埋め込んで光ディスク上に記録処理する場合がある。この上位装置から転送されるユーザデータ以外のダミーデータをユーザエリア上に記録する行為をパディング記録と呼ぶ。従ってパディング記録ではＬＲＡは移動しない。本図ではオープンセッションをセッション２とし、セッション２は２つのＲゾーン２とＲゾーン３からなり、それぞれ開始アドレスとＬＲＡをアドレスＳ２とアドレスＬ２、アドレスＳ３とアドレスＬ３としている。本記録領域を記録するために、セッション開始フラグ、開始アドレス、ＬＲＡ、そしてそのＲゾーンの状態を示すステータスからなる記録領域管理リストを構成し、記録領域管理テーブルとして管理する。Ｒゾーンの状態を示すステータスとしてクローズ状態を示す“追記不可”とオープン状態を示す“追記可”の２種類のステータスが用意される。セッションの区切りはセッション開始フラグが１のＲゾーンの開始アドレスである。
【００３２】
従来、図７が示す状態で任意の光ディスク記録再生装置で再生互換が確保されていた追記型光ディスクに対し、冒頭で述べたように物理特性の違い、つまり記録前と記録後の反射率の関係が異なるＨＬディスクの導入によって起こる既存光ディスク再生装置との再生互換の確保が不可能といった問題に対し、以下のような対策を行う。具体的にはユーザデータ再生に必要な最低範囲のみを必要なタイミングでパディング記録により記録済領域にしておくといった方法である。ここで想定するユーザデータ再生に必要な最低範囲とは所定のアドレスにシークで位置付けするときに必要となる範囲であり、具体的には半径方向に数十マイクロメートル程度の幅である。以下に既存光ディスク再生装置と互換を確保するＬＨ特性を持つ追記型光ディスクの記録方式についての説明を記載する。
【００３３】
図８は図７の状態から上位装置の命令により、未記録領域を含まないＲゾーン１に隣接するＲゾーン２をクローズ処理した場合の記録領域管理リスト、及びＲゾーン内の処理内容を示している。
【００３４】
Ｒゾーン２の記録領域管理リストは上位装置からのクローズ処理命令により、ステータスを“追記可”から“追記不可”へと変更される。またクローズされたＲゾーン２に残る未記録エリアは、予め決められた指定領域Ｗ分パディング処理される。この指定領域Ｗは、ＥＣＣブロック数、又はディスク半径方向の長さ、つまりディスク内周から外周にらせん状に刻まれているトラックの数で定義される。Ｗがディスク半径方向の長さで定義される場合にはパディングされるＥＣＣブロック数はディスク中心からパディングが開始されるアドレス位置までの距離に比例する。結果内周のＲゾーンでのパディング処理されるＥＣＣブロック数は外周のＲゾーンのパディング処理されるＥＣＣブロックに比べ少なくなる。
【００３５】
図９は図７の状態から上位装置の命令により、セッション２、つまり未記録領域を含まないＲゾーン１に隣接するＲゾーン２と未記録領域を含むＲゾーン２に隣接するＲゾーン３をクローズ処理した場合の記録領域管理リスト、及びパディング処理内容を示している。
【００３６】
Ｒゾーン２及びＲゾーン３の記録領域管理リストは上位装置からのクローズ処理命令により、ステータスを“追記可”から“追記不可”へと変更される。またセッション２は最外周に位置するセッションのためセッション２の外側に新規Ｒゾーンと共にセッション３がオープンされる。クローズされたＲゾーン２に残る未記録エリアは、予め決められたＥＣＣブロック数のパディング処理される。またＲゾーン３のＬＲＡに隣接する未記録エリアもＷ２分パディング処理され、開始アドレスに隣接するＲゾーン２に属する未記録領域もＷ１分パディング処理される。また新規にできるＲゾーン４の開始アドレスＳ４はＲゾーン３のＬＲＡにパディング処理されたＷ２、そしてＲゾーンの開始位置をＥＣＣブロック先頭にするためのαを加えたＬ３＋Ｗ２＋αに一致する。ここではＲゾーン２に残る未記録領域（仮にＷ３）はＷ１よりも大きいとしたが、Ｒゾーンに残る未記録領域Ｗ３がＷ１よりも小さい場合には全未記録領域が記録領域になるようＷ３分のパディング処理が行われる。
【００３７】
図１は図７の状態から上位装置の命令により、追記型光ディスクをファイナライズ処理した場合の記録領域管理リスト、及びパディング処理内容を示している。
【００３８】
Ｒゾーン２及びＲゾーン３の記録領域管理リストは上位装置からのクローズ処理命令により、ステータスを“追記可”から“追記不可”へと変更される。クローズされたＲゾーン２に残る未記録エリアは、予め決められたＥＣＣブロック数パディング処理される。またＲゾーン３のＬＲＡに隣接する未記録エリアもＷ２分パディング処理され、開始アドレスに隣接するＲゾーン２に属する未記録領域もＷ１分パディング処理される。また図５で示したように様々な管理情報を含むリードインエリア、リードアウトエリアのエンボス領域やエンボス領域と記録可能領域間の緩衝用バッファを除く、点在する未記録エリアもパディング処理され、一連の記録済み領域化される。またリードインエリア、リードアウトエリア領域に隣接するデータエリアに未記録領域がある場合にはＲゾーン同様にリードインエリア、リードアウトエリアに隣接した未記録領域を所定のサイズだけパディング処理を施す。さらに欠陥管理で使用したスペアエリアの記録領域に隣接した未記録領域もＲゾーン同様の処理を施す。結果、ファイナライズ後の追記型光ディスク上のアクセスが発生する恐れがある領域は記録済みとできる。またファイナライズ時に全ての未記録領域を記録する従来方式に比べ、処理時間を格段に短縮することができる。
【００３９】
次に記録方式をディスク内周からの連続記録する記録方式に限定した場合の追記方式について説明する。
【００４０】
図１０はセッション２をクローズした状態の追記型光ディスクの状態を示した図である。セッションをクローズした際、クローズされるＲゾーン内のＬＲＡからパディング処理を行った記録領域を新規のクローズされたＲゾーンとする。つまり図の中のＲゾーン３のみからなるセッション２をクローズした際、Ｒゾーン３のＬＲＡにα＋１を加えたアドレスＬ３＋α＋１（＝Ｓ４）からのパディング処理で記録された記録領域を新たなＲゾーン４として追加し、セッション２をクローズする。結果、本記録方式を行うと各セッションは２つのＲゾーンから構成され、内奇数のＲゾーンにのみユーザデータは配置される。この記録方式で偶数のＲゾーンをスキップさせて論理アドレスを物理アドレスと対応させる、つまりＲゾーン２及びＲゾーン４のＥＣＣブロック数分の物理アドレスには論理アドレスを対応付けず、論理アドレス空間のサイズを減少させる。例えば、Ｒゾーン２のＥＣＣブロック数をＩとした時、対応する物理アドレスは１６＊Ｉである。Ｒゾーン２が生成される前、つまりセッション１がクローズされる前には（セッション１クローズ後のＲゾーン３に含まれる）物理アドレスＳ３に対応する論理アドレスがｓ３であったが、Ｒゾーン２が生成された後には物理アドレスＳ３はｓ３−１６＊Ｉに対応付けられる。結果、上位装置へのパディング処理に用いたダミーデータの転送を防ぐことが可能となる。
【００４１】
図１１は記録方式をディスク内周からの連続記録する記録方式に限定した場合の１つのＲゾーン２から構成されるセッション２をクローズした状態の追記型光ディスクの状態を示した図である。セッションをクローズした際、クローズされるＲゾーン内のＬＲＡからパディング処理を行った記録領域を含めてＲゾーンをクローズする。つまり図の中のＲゾーン２のみからなるセッション２をクローズした際、Ｒゾーン２のＬＲＡにα＋１を加えたアドレスＬ２＋α＋１（＝Ｓ３）からのパディング処理で記録された記録領域を含めＲゾーン２として、セッション２をクローズする。結果、本記録方式を行うと各セッションは１つのＲゾーンから構成され、最後のＲゾーンを除く、全Ｒゾーンで所定ＥＣＣブロック数のダミーデータが配置される。この記録方式で各Ｒゾーンのダミーデータ領域をスキップさせて論理アドレスを物理アドレスと対応させる、つまりＲゾーンクローズ時に追加する全ダミーデータのＥＣＣブロック数分の物理アドレスには論理アドレスを対応付けず、論理アドレス空間のサイズを減少させる。例えば、パディング処理に要するＥＣＣブロック数を固定値Ｗとした場合には、（ＬＲＡを持つ全Ｒゾーン数−１）＊Ｗ＊１６の論理アドレス空間のサイズを減少させる。結果、パディング処理で追加されたＥＣＣブロック数をＷとした時、対応する物理アドレスは１６＊Ｗである。Ｒゾーン１がクローズされる前、つまりセッション１がクローズされる前には（セッション１クローズ後のＲゾーン２に含まれる）物理アドレスＳ２に対応する論理アドレスがｓ２であったが、Ｒゾーン１がクローズされた後には物理アドレスＳ２はｓ２−１６＊Ｗに対応付けられる。結果、上位装置へのパディング処理に用いたダミーデータの転送を防ぐことが可能となる。
【００４２】
図１２は図１０や図１１の状態から上位装置の命令により、追記型光ディスクをファイナライズ処理した場合の記録領域管理リスト、及びパディング処理内容を示している。
【００４３】
追記が許可される最後のＲゾーンの記録領域管理リストは上位装置からのクローズ処理命令により、ステータスを“追記可”から“追記不可”へと変更される。クローズされた最終Ｒゾーンに残る未記録エリアは、予め決められたＥＣＣブロック数パディング処理される。しかし本図のように最終Ｒゾーンにユーザデータが記録されていない状態、つまりＲゾーン３のＬＲＡが存在しない状況では本パディング処理は省略可能である。また図５で示したように様々な管理情報を含むリードインエリア、リードアウトエリアのエンボス領域やエンボス領域と記録可能領域間の緩衝用バッファを除く、点在する未記録エリアもパディング処理され、一連の記録済み領域化される。さらに欠陥管理で使用したスペアエリアの記録領域に隣接した未記録領域もＲゾーン同様の処理を施す。結果、ファイナライズ後の追記型光ディスク上のアクセスが発生する恐れがある領域は記録済みとできる。またファイナライズ時に全ての未記録領域を記録する従来方式に比べ、処理時間を格段に短縮することができる。
【００４４】
図１４は本発明で用いられるデータフレームの構成、特に図５記載のリードインエリアやリードアウトエリアにあるディスク管理情報エリア、コピー管理情報を記録するためのコピー管理情報エリア、そしてドライブ情報エリア等に記録される各種管理情報のデータフレームの構成を示す。
【００４５】
２０４８バイトからなる各メインデータに、データ識別のための４バイトのデータ識別コード（ＩＤ）と、ＩＤの誤り検出符号である２バイトのＩＥＤ、６バイトの本データフレームが構成するＥＣＣブロックに関する情報データが付加される。またこのデータ列の最後部には、データに含まれる誤りを検出する４バイトの誤り検出符号ＥＤＣが付加され、全部で２０６４バイトのデータフレームを構成する。また以後データフレームは図３に示すＥＣＣブロックの構成を成す。ＥＣＣブロックに関する情報データには管理情報ヘッダフラグ又は管理情報フラグが付加される。管理情報ヘッダフラグは本ＥＣＣブロックに含まれる管理情報がどのような種類の管理情報か、つまりディスク管理情報エリア、コピー管理情報を記録するためのコピー管理情報エリア、またドライブ情報エリア等に記録される各種管理情報かを識別するための情報を含むフラグであり、管理情報フラグは管理情報の種別を識別するための情報は含まないが本ＥＣＣブロックに含まれるユーザデータは管理情報であることを示す。
【００４６】
図１、図８、図９、図１０、図１１及び図１２で示したＲゾーンやセッションのクローズ処理に伴うパディング記録処理で用いるデータをリードインエリアのディスク管理情報エリアに記録される最新のディスク管理情報である。
【００４７】
以下Ｒゾーン、セッションのクローズ処理に伴うパディング処理にディスク管理情報を用いること、より詳細には管理情報ヘッダ、記録領域管理テーブルそして欠陥管理テーブルを用いることの利点について説明する。
【００４８】
図１５にディスク管理情報の管理情報ヘッダ構成の一例を示す。ディスク管理情報は主にディスクフォーマット後に確定する各種ディスクパラメータが記録される。
【００４９】
ディスク管理情報は、ディスク管理情報であることを示す識別子“ＤＨ”、本ディスク管理情報のフォーマットを示すフォーマット番号、リードインエリアのディスク管理情報エリア内の最新、つまり有効な記録領域管理テーブルが記録されているアドレスを示す有効記録領域管理情報アドレス、同様にディスク管理情報エリア内の有効な欠陥管理テーブルが記録されているアドレスを示す有効欠陥管理テーブルアドレス、その他の管理情報エリアや試し書きエリアの各有効アドレス、次に使用可能なアドレスを示すアドレス、またコピー管理情報エリアに上位装置からの指示によりコピー管理情報が記録されたことを示すコピー管理情報エリア記録済みフラグ、フォーマット命令によって上位装置により光ディスク上に論理的に割り当てられたユーザエリアの開始アドレス、ユーザエリアの終了アドレス、上位装置からの記録命令により記録されたユーザデータの最外周アドレスを示すユーザエリア内最大記録済アドレスやスペアエリアの記録済領域の端を示すスペアエリア最終アドレス、そして本光ディスクが全ての光ディスク再生装置において再生互換が取れる状態になっているか否かを示す再生互換確保フラグからなる。ここで通常ユーザデータエリア内の記録済領域はディスク管理情報内の記録領域管理テーブルで管理されるが、スペアエリアの記録済領域はユーザデータの終了アドレスとスペアエリア終了アドレスで管理されることを述べておく。
【００５０】
図１６は図１５のディスク管理情報を構成し、バイト２１に配置される再生互換確保フラグの詳細を示す図である。本例では本再生互換確保フラグは４ビットを４つのエリア、つまりリードインエリア、リードアウトエリア、スペアエリア、ユーザエリアにそれぞれ割り当てられており、各エリアが再生互換確保されている状態になっているか否かを独立に示すことを可能とする。
【００５１】
例えば、リードインエリア、リードアウトエリアは光ディスクがファイナライズ処理される前のため再生互換が確保されていない状態でもユーザデータエリア及びスペアエリアにパディング処理を施し、アクセス可能な再生互換が確保された状態になっている場合には、再生互換確保フラグはリードインエリア＝再生互換不可、リードアウトエリア＝再生互換不可、スペアエリア＝再生互換、ユーザエリア＝再生互換を示す値に設定される。つまり複数ビットを使用することでフィナライズ前か後か等のディスクの使用状況に依存しないせず、各エリアへの再生処理のためのアクセスが可能か否かを直接的に判断すること可能になる。
【００５２】
このような再生互換確保フラグを含む管理情報ヘッダや記録領域管理テーブル、欠陥管理テーブルからなるディスク管理情報をパディング記録の記録データとして用いることにより、本光ディスクのリードインから光ディスク管理情報を通常再生できない光ディスク再生装置に光ディスクの使用状況を伝え、且つパディングエリアの本ディスク管理情報の再生互換確保フラグを介し、どのエリアが再生互換可能な状態になっているかを教えることも可能となる。
【００５３】
次に先に述べた光ディスク記録方式を用いて記録される追記型光ディスクからどのように既存の光ディスク再生装置が、再生互換に関する情報を知るかを図１７、図１８のフロチャートを用いて説明する。
【００５４】
図１７は、データの記録方式を特に限定しない場合、つまり上位装置は従来の記録方式同様にＲゾーンをディスクの任意の位置に所定数作成し、各Ｒゾーン内で連続記録を行う記録方式を用いる場合の既存光ディスク再生装置で光ディスクセットアップ時にディスク管理情報を取得するフロチャートの一例である。
【００５５】
先に図７及び図１で示したような記録方式を用いた場合、上位装置のファイナライズ命令により、追記型光ディスクをファイナライズ処理した場合にリードインエリア、リードアウトエリアのエンボス領域やエンボス領域と記録可能領域間の緩衝用バッファを除く、点在する未記録エリアがパディング処理されている。光ディスク再生装置は先ずＢＣＡエリアに移動し、本光ディスクがＨＬの記録膜特性を持つかＬＨの記録膜を持つかを調べる。ここで従来からのＨＬディスクであると判断された場合、リードインに移動し、ディスク管理情報領域から最新のディスク管理情報を読み出した後、上位装置からの再生要求に応じてユーザデータの再生処理を行う。一方、ＢＣＡエリアからＬＨディスクと判断されるとファイナライズ処理でのみ記録されるリードアウトに移動し、トラッキング処理を行わず、光ディスクから読み出される再生信号を用いて行う記録済、未記録判定を行うことで本光ディスクがファイナライズ済みか否かの判断を行い、ファイナライズ済みと判断された場合にはＨＬディスク同様の手順でユーザデータ再生を行い、未ファイナライズ状態であると判断された場合には再生の互換が確保されていないとし、光ディスクを排出すること等で光ディスクが未対応であることを示す。
【００５６】
図１８は、データの記録方式を特に限定する必要は必ずしもないが、特に図１０や図１１で示したように記録方式をディスク内周からの連続記録する記録方式に限定した場合の既存光ディスク再生装置で光ディスクセットアップ時にディスク管理情報を取得するフロチャートの一例である。
【００５７】
上位装置のセッションやＲゾーン等の記録領域のクローズ命令により、追記型光ディスクのユーザデータエリア内記録済領域の最外周には本記録方式に従った場合にはディスク管理情報を用いたパディング記録処理によるガードエリアが生成されている。光ディスク再生装置は先ずＢＣＡエリアに移動し、本光ディスクがＨＬの記録膜特性を持つかＬＨの記録膜を持つかを調べた後、ここで従来からのＨＬディスクであると判断された場合、リードインに移動し、ディスク管理情報領域から最新のディスク管理情報を読み出した後、上位装置からの再生要求に応じてユーザデータの再生処理を行う。一方、ＢＣＡエリアからＬＨディスクと判断されるとユーザデータエリアの記録済領域の最外周付近に光ディスクから読み出される再生信号を用いた記録済、未記録判定を行いながら移動し、その位置で最新のディスク管理情報を読み出し、記録管理領域ヘッダに含まれる再生互換確保フラグを用いて各エリアの再生互換状況を調べ、アクセス可能な範囲での再生を行う。またこのとき、ディスク管理情報が読み取れない、再生互換確保フラグが再生互換確保されていないことを示す場合には、光ディスクを排出すること等で光ディスクが未対応であることを示す。
【００５８】
以上、既存の光ディスク再生装置で新たに導入されるＬＨ特性を持つ追記型光ディスクに対し、光ディスク全面の未記録領域を埋めるパディング記録処理によるファイナライズ作業を不要としながらも、ハードウェアに変更を与えることなく、ファームウェアの改良だけで再生互換が確保できる記録方式と再生方式を説明した。
【００５９】
また既存の光ディスク再生装置のファームウェア変更で必要となる箇所は、図１７及び図１８のフロチャートを用いて説明したディスクセットアップ処理時のディスク管理情報の読み出し処理に関するところである。ハードウェア構成を含むその他に関しては図４で示した既存の光ディスク記録再生装置の再生に必要な部分同様である。
【００６０】
以上より、本発明では既存の光ディスク再生装置で新たに導入されるＬＨ特性を持つ追記型光ディスクに対し、記録済領域では安定した再生が行えるが、未記録領域ではサーボ、特にトラッキングサーボが不安定になるような状況、つまり未記録領域で光ディスクと光ヘッドの衝突が起こる恐れがある状況で、光ディスク全面の未記録領域を埋めるパディング記録処理によるファイナライズ作業を不要としながらも、ハードウェアに変更を与えることなく、ファームウェアの改良だけで再生互換が確保できる。
【図面の簡単な説明】
【００６１】
【図１】追記型光ディスクのファイナライズ処理の第１の説明図である。
【図２】データフレームの構成を示した図である。
【図３】ＥＣＣブロックの構成を示した図である。
【図４】光ディスク記録再生装置の構成を示した図である。
【図５】追記型光ディスクのデータ配置の図である。
【図６】交替処理による欠陥管理と欠陥管理テーブルの説明図である。
【図７】記録領域管理方法、記録領域情報を管理する記録領域管理テーブルの説明図である。
【図８】Ｒゾーンのクローズ処理の第1の説明図である。
【図９】Ｒゾーンのクローズ処理の第２の説明図である。
【図１０】セッションのクローズ処理の第１の説明図である。
【図１１】セッションのクローズ処理の第２の説明図である。
【図１２】追記型光ディスクのファイナライズ処理の第２の説明図である。
【図１３】光ディスクのアドレス空間を示した図である。
【図１４】データフレームの構成を示した図である。
【図１５】ディスク管理情報ヘッダの構成を示した図である。
【図１６】再生互換確保フラグの詳細を示した図である。
【図１７】再生装置のＢＣＡ再生からユーザデータ再生処理までの第１のフロチャートである。
【図１８】再生装置のＢＣＡ再生からユーザデータ再生処理までの第２のフロチャートである。
【符号の説明】
【００６２】
４０１…光ディスク、４０２…光ヘッド、４０３…記録再生信号処理回路、４０４…制御マイコン、４０５…サーボ回路、４０６…インターフェース回路、４０７…入出力端子。
【図１】
2007179601.tif 000003
【図２】
2007179601.tif 000004
【図３】
2007179601.tif 000005
【図４】
2007179601.tif 000006
【図５】
2007179601.tif 000007
【図６】
2007179601.tif 000008
【図７】
2007179601.tif 000009
【図８】
2007179601.tif 000010
【図９】
2007179601.tif 000011
【図１０】
2007179601.tif 000012
【図１１】
2007179601.tif 000013
【図１２】
2007179601.tif 000014
【図１３】
2007179601.tif 000015
【図１４】
2007179601.tif 000016
【図１５】
2007179601.tif 000017
【図１６】
2007179601.tif 000018
【図１７】
2007179601.tif 000019
【図１８】
2007179601.tif 000020